【手続補正書】
【提出日】平成17年9月8日(2005.9.8)
【手続補正１】
【補正対象書類名】明細書
【補正対象項目名】発明の名称
【補正方法】変更
【補正の内容】
【発明の名称】情報処理装置及びその制御方法と、その方法をコンピュータ装置に実行させるためのプログラム
【手続補正２】
【補正対象書類名】明細書
【補正対象項目名】特許請求の範囲
【補正方法】変更
【補正の内容】
【特許請求の範囲】
【請求項１】
ネットワーク経由で通信端末からアクセス要求を受信するアクセス要求受信手段と、
前記アクセス要求に応答して、前記通信端末との通信を開始するよう制御する通信制御手段と、
前記通信制御手段により開始された前記通信を識別するための通信ＩＤを発行する発行手段と、
前記通信端末から前記通信ＩＤとともに所定の情報を受信する情報受信手段と、
前記情報受信手段により受信した前記所定の情報を前記通信ＩＤと対応付けて記憶する記憶手段と、
前記通信端末との通信で使用される通信ＩＤに基づき、前記記憶手段に記憶された所定の情報を前記通信端末へ送信するよう制御する情報送信制御手段と、
を有することを特徴とする情報処理装置。
【請求項２】
前記所定の情報を前記通信端末へ要求する前に、前記記憶手段に前記通信端末との通信で使用される通信ＩＤと対応する所定の情報が記憶されているか否かを判定する判定手段を更に有し、前記情報送信制御手段は前記判定手段による判定結果に応じて、前記所定の情報を送信することを特徴とする請求項１記載の情報処理装置。
【請求項３】
前記通信ＩＤは有効期間を有することを特徴とする請求項１記載の情報処理装置。
【請求項４】
ネットワーク経由で通信端末からアクセス要求を受信するアクセス要求受信ステップと、
前記アクセス要求に応答して、前記通信端末との通信を開始するよう制御する通信制御ステップと、
前記通信制御ステップで開始された前記通信を識別するための通信ＩＤを発行する発行ステップと、
前記通信端末から前記通信ＩＤとともに所定の情報を受信する情報受信ステップと、
前記情報受信ステップで受信した前記所定の情報を前記通信ＩＤと対応付けてメモリに記憶する記憶ステップと、
前記通信端末との通信で使用される通信ＩＤに基づき、前記メモリに記憶された所定の情報を前記通信端末へ送信するよう制御する情報送信制御ステップと、
を有することを特徴とする情報処理装置の制御方法。
【請求項５】
ネットワーク経由で通信端末からアクセス要求を受信するアクセス要求受信ステップと、
前記アクセス要求に応答して、前記通信端末との通信を開始するよう制御する通信制御ステップと、
前記通信制御ステップで開始された前記通信を識別するための通信ＩＤを発行する発行ステップと、
前記通信端末から前記通信ＩＤとともに所定の情報を受信する情報受信ステップと、
前記情報受信ステップで受信した前記所定の情報を前記通信ＩＤと対応付けてメモリに記憶する記憶ステップと、
前記通信端末との通信で使用される通信ＩＤに基づき、前記メモリに記憶された所定の情報を前記通信端末へ送信するよう制御する情報送信制御ステップと、
をコンピュータ装置に実行させるためのプログラム。
【手続補正３】
【補正対象書類名】明細書
【補正対象項目名】０００１
【補正方法】変更
【補正の内容】
【０００１】
【発明の属する技術分野】
本発明は、情報処理装置が記憶する画像に対し、通信端末、特に携帯電話から閲覧サービスを受けるための情報処理装置及びその制御方法と、それをコンピュータ装置に実施させるプログラムに関するものである。
【手続補正４】
【補正対象書類名】明細書
【補正対象項目名】０００７
【補正方法】変更
【補正の内容】
【０００７】
【課題を解決するための手段】
上記目的を達成するため、本発明に係る装置は、
ネットワーク経由で通信端末からアクセス要求を受信するアクセス要求受信手段と、
前記アクセス要求に応答して、前記通信端末との通信を開始するよう制御する通信制御手段と、
前記通信制御手段により開始された前記通信を識別するための通信ＩＤを発行する発行手段と、
前記通信端末から前記通信ＩＤとともに所定の情報を受信する情報受信手段と、
前記情報受信手段により受信した前記所定の情報を前記通信ＩＤと対応付けて記憶する記憶手段と、
前記通信端末との通信で使用される通信ＩＤに基づき、前記記憶手段に記憶された所定の情報を前記通信端末へ送信するよう制御する情報送信制御手段と、
を有することを特徴とする。
【手続補正５】
【補正対象書類名】明細書
【補正対象項目名】０００８
【補正方法】変更
【補正の内容】
【０００８】
上記目的を達成するため、本発明に係る方法は、
ネットワーク経由で通信端末からアクセス要求を受信するアクセス要求受信ステップと、
前記アクセス要求に応答して、前記通信端末との通信を開始するよう制御する通信制御ステップと、
前記通信制御ステップで開始された前記通信を識別するための通信ＩＤを発行する発行ステップと、
前記通信端末から前記通信ＩＤとともに所定の情報を受信する情報受信ステップと、
前記情報受信ステップで受信した前記所定の情報を前記通信ＩＤと対応付けてメモリに記憶する記憶ステップと、
前記通信端末との通信で使用される通信ＩＤに基づき、前記メモリに記憶された所定の情報を前記通信端末へ送信するよう制御する情報送信制御ステップと、
を有することを特徴とする。
【手続補正６】
【補正対象書類名】明細書
【補正対象項目名】０００９
【補正方法】変更
【補正の内容】
【０００９】
上記目的を達成するため、本発明に係るプログラムは、
ネットワーク経由で通信端末からアクセス要求を受信するアクセス要求受信ステップと、
前記アクセス要求に応答して、前記通信端末との通信を開始するよう制御する通信制御ステップと、
前記通信制御ステップで開始された前記通信を識別するための通信ＩＤを発行する発行ステップと、
前記通信端末から前記通信ＩＤとともに所定の情報を受信する情報受信ステップと、
前記情報受信ステップで受信した前記所定の情報を前記通信ＩＤと対応付けてメモリに記憶する記憶ステップと、
前記通信端末との通信で使用される通信ＩＤに基づき、前記メモリに記憶された所定の情報を前記通信端末へ送信するよう制御する情報送信制御ステップと、
をコンピュータ装置に実行させる。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００２０
【補正方法】削除
【補正の内容】